(57)【特許請求の範囲】
【請求項１】
先端部分をコの字形に曲成して前脚片（１ａ）と後脚片（１ｃ）を形成した鉤状引掛脚部（１）と、前記前脚片（１ａ）に装着され、頂面に鉤状体（２ｃ）を備えた支持部（２）と、前記後脚片（１ｃ）に装着され、前面鉤状体（３ｂ）を備えたフック部（３）とで構成され、且つ、前記フック部（３）は、その側面に前記後脚片（１ｃ）の欠切部（１ｅ）に嵌着可能な溝部（３ａ）を複数個連続的に形成して成ることを特徴とする掛吊具。
【請求項２】
前記支持部（２）は、前記前脚片（１ａ）の両側縁に嵌合可能なコの字形状を成し、背面に該前脚片（１ａ）の縦方向に並設された複数個の凹部（１ｄ）と嵌合可能な凸部（２ｂ）を設けてラチェット機構を形成して成ることを特徴とする請求項１に記載の掛吊具。
【発明の詳細な説明】
【０００１】
【発明の属する技術分野】
本発明は、扉とその枠部材との間に形成される隙間を利用し、扉の上面に引掛けて取り付くようにした掛吊具に関するものである。
【０００２】
【従来の技術】
従来、このような掛吊具は、上述の隙間に納まる板厚の鉤状引掛具で扉の上面に引掛け可能とすると共に、その引掛具の下端に被掛吊物を掛吊り・収納するためのフック金具等の掛具類を垂設して構成されるものである。
【０００３】
【発明が解決しようとする課題】
ところで、従来の掛吊具にあっては、引掛具の引掛け方向によって掛具類の懸装位置（すなわち、被掛吊物の掛吊り・収納場所）が一義的に決まってしまう。つまり、被掛吊物は扉の内側かあるいは外側の何れか一方にのみ掛吊り・収納される構造であった。
【０００４】
例えば、上記掛吊具を流し台等の扉に掛着する場合、所望の台所用品が流し台の内側に掛吊り・収納できる状態に設定するといった使い方が一般的であるが、特に、頻繁に使用する物、あるいは、調理中のゴミ捨て袋のように一時的に使用したい物等の掛吊り・収納にあっては、その都度、扉の開閉を必要としない表側に掛具類を持ってくることで非常に使い勝手が良いものにすることができる。ところが、従来品では、収納物に応じてその都度掛吊具の掛着方向を変えて使用するか、あるいは、扉の内側と表側にそれぞれ専用の掛吊具を掛着する等の工夫が必要であり、これでは使い勝手も悪く、また甚だ不経済であった。
【０００５】
本発明は、使用時にフック等の掛具類が扉の両面に懸装される構成として、使い勝手の向上を図った掛吊具を提供することを目的としている。
【０００６】
【課題を解決するための手段】
すなわち、請求項１に記載の本発明では、先端部分をコの字形に曲成して前脚片（１ａ）と後脚片（１ｃ）を形成した鉤状引掛脚部（１）と、前記前脚片（１ａ）に装着され、頂面に鉤状体（２ｃ）を備えた支持部（２）と、前記後脚片（１ｃ）に装着され、前面に鉤状体（３ｂ）を備えたフック部（３）とで構成され、且つ、前記フック部（３）は、その側面に前記後脚片（１ｃ）の欠切部（１ｅ）に嵌着可能な溝部（３ａ）を複数個連続的に形成して成るものである。
【０００８】
さらに、請求項２に記載の本発明では、前記支持部（２）は、前記前脚片（１ａ）の両側縁に嵌合可能なコの字形状を成し、背面に該前脚片（１ａ）の縦方向に並設された複数個の凹部（１ｄ）と嵌合可能な凸部（２ｂ）を設けてラチェット機構を形成して構成されるものである。
【０００９】
【発明の実施の形態】
図１は本発明に係る掛吊具１０の構成を示す分解斜視図である。
【００１０】
図中、１は合成樹脂製の鉤状引掛脚部であって、先端部をコの字形に曲成して前脚片１ａ、上脚片１ｂ、および後脚片１ｃを形成すると共に、前脚片１ａの中央縦方向に上辺を斜めに形成した矩形状の凹部１ｄが複数個並設されおり、また、上脚片１ｂから後脚片１ｃにわたって幅広の欠切部１ｅが形成されている。
【００１１】
２は前記前脚片１ａの両側縁に嵌合するようコの字形とされた合成樹脂製の支持部であって、頂面の下端中央に鉤状体２ｃを突設すると共に、裏面に前記前脚片１ａの凹部１ｄと嵌合する凸部２ｂを設け、前記凹部１ｄとこの凸部２ｂとで前記支持部２（すなわち、鉤状体２ｃ）を上下に摺動可能とするラチェット機構が形成されている。また、前記凸部２ｂはその両側に縦方向の割溝２ａ，２ａを設け、前後方向に揺動性を持たせると共に、この凸部２ｂと対向する表側の面を手前に突き出して外レバー２ｄが形成されている。
【００１２】
３は前面に鉤状体３ｂが突設されて成る合成樹脂製のフック部である。このフック部３の側面に複数の溝部３ａが連続形成されており、この溝部３ａを前記後脚片１ｃの欠切部１ｅの縁部に嵌合・取り付けすることにより、フック部３が引掛具１０を扉等に掛着する時のスペーサとして機能する。すなわち、扉の板厚に合った好適な位置の溝部３ａを適宜選択することにより引掛具１０の取り付けガタを無くすことができる。
【００１３】
図２は掛吊具１０の使用態様を示す図である。
【００１４】
上記構成の掛吊具１０を流し台等の扉Ｄに取り付けするには、先ず、鉤状引掛脚部１の前脚片１ａの両側縁に下方より支持部２のコの字部分を嵌挿し、そのまま上方向に摺動させる。ラチェット機構により凸部２ｂは凹部１ｄの傾斜辺を乗り越え滑動するから、支持部２はスムースに上昇する。支持部２の装着後は凸部２ｂと凹部１ｄの垂直辺が嵌合し、ストッパとして作用するから、使用中に被掛物等の荷重で不本意に降下する心配はない。支持部２の外レバー２ｄを手前に引くと、凸部２ｂと凹部１ｄの嵌合が外れてラチェット機構はフリー状態となり、支持部２の下降や取り外しが可能となる。
【００１５】
次に、鉤状引掛脚部１を扉Ｄの上面に引掛け、後脚片１ｃと扉Ｄの隙間にフック部３を装着する。フック部３の装着は前記要領通り、扉Ｄの板厚に合わせフック部３の溝部３ａを選択・差替えし、取り付けガタの生じないように隙間を調整しながら行う。
【００１６】
また、本実施形態では、掛吊具１０の取り付けで扉面と圧接するフック部３の隔壁３ｃの下端に設けた受圧部分３ｄを凸面状とし、その弾性により遊び幅の調整（すなわち、溝部３ａの選択）にある程度の自由度を持たせてあるので、掛吊具１０は常に最適な押圧で扉面に取り付けできる。この時、フック部３の鉤状体３ｂが外向きに取り付くから、支持部２の鉤状体２ｃとこのフック部３の鉤状体３ｂは相対称する向きに設定されることになる。したがって、掛吊具１０の取り付けが完了すると、各鉤状体２ｃ，３ｂは被掛吊物（図示せず）をそれぞれ扉Ｄの表面および裏面に掛吊りできるように懸装される。なお、本図は、支持部２の鉤状体２ｃが流し台の内側に、フック部３の鉤状体３ｂが外側に懸装されるよう取り付けされた場合を示している。
【００１７】
また、掛吊具１０を掛着する際、支持部２の鉤状体２ｃが流し台の側壁に当接して扉が閉まらない場合は、前記外レバー２ｄを手前に引きながら支持部２を下降させて支持部２を好適な位置に調整する。
【００１８】
このように、本発明の掛吊具１０を使用することにより、１体の掛吊具１０で台所用品を扉Ｄの裏側と表側にそれぞれ掛吊り・収納できるため、扉面を有効に活用できるようになる。特に、頻繁に使用する物や調理中のゴミ捨て袋のように一時的に使用する物等を扉Ｄの表側に掛吊り・収納することで、使用の度に流し台の扉Ｄを開閉する煩わしさが無くなり、使い勝手は極めて良い。
【００１９】
また、図２に示すように、支持部２の鉤状体２ｃにクリップ４を引掛けて使用することにより、例えば、鉤状体２ｃには掛け吊りできないゴム手袋等を挟んで収納することができる。このクリップ４は鉤状体２ｃと別体であって取り外しできるため、裏側、表側外何れの鉤状体にも掛け替えて使用できるものである。
【００２０】
【発明の効果】
以上説明したように、請求項１に記載の本発明によれば、鉤状引掛脚部の前脚片と後脚片にそれぞれ鉤状体を備えたので、１体の掛吊具で別々の鉤状体が扉の両面に懸装され、それぞれに被掛吊物を掛吊り・収納できるため、扉面を有効に活用できる。特に、頻繁に使用する物や一時的に使用する物等を表側の鉤状体に掛吊り・収納すると、使用の都度扉を開閉する煩わしさが無くなるので、使い勝手は極めて良い。また、フック部は扉と掛吊具を掛着する際のスペーサを兼ねる構成としたから、その隙間調節機能により扉の板厚に影響されない確実かつ安定した掛着が可能となる。
【００２２】
さらにまた、請求項２に記載の本発明によれば、支持部をラチェット機構により摺動自在に構成したので、被掛吊物に応じ支持部の位置を自由に調整できるため、被掛吊物の掛吊り・収納がし易くなる。
【図面の簡単な説明】
【図１】本発明に係る掛吊具の構成を示す分解斜視図である。
【図２】同、掛吊具の使用態様を示す側断面図である。
【符号の説明】
１    鉤状引掛脚部
１ａ  前脚片
１ｃ  後脚片
１ｄ  凹部
１ｅ  欠切部
２    支持部
２ｂ  凸部
２ｃ  支持部の鉤状体
３    フック部
３ａ  溝部
３ｂ  フック部の鉤状体
【図１】
0003873412.tif 000002
【図２】
0003873412.tif 000003